【手続補正書】
【提出日】平成18年12月22日(2006.12.22)
【手続補正１】
【補正対象書類名】明細書
【補正対象項目名】００２５
【補正方法】変更
【補正の内容】
【００２５】
適するホスフィナートはＰＣＴ／WO９７／０３９０５３号明細書に記載されている。ここにＰＣＴ／WO９７／０３９０５３号明細書を全文記載したものとする。
【手続補正２】
【補正対象書類名】明細書
【補正対象項目名】００３１
【補正方法】変更
【補正の内容】
【００３１】
有利な窒素系相乗剤は、メラミンの縮合生成物であるのが有利である。例えばメラミンの縮合生成物はメレム、メラム、またはメロン、または高度な縮合水準を持つこの種の化合物並びにそれらの混合物であり、例えばＰＣＴ／WO９６／１６９４８に記載の方法によって製造できる。
【手続補正３】
【補正対象書類名】明細書
【補正対象項目名】００４６
【補正方法】変更
【補正の内容】
【００４６】
1.10 トリアジン化合物、例えば 2,4- ビスオクチルメルカプト-6-(3,5-ジ- 第三ブチル-4- ヒドロキシアニリノ)-1,3,5-トリアジン、 2- オクチルメルカプト-4,6- ビス-(3,5-ジ- 第三ブチル-4- ヒドロキシアニリノ)-1,3,5-トリアジン、 2- オクチルメルカプト-4,6- ビス-(3,5-ジ- 第三ブチル-4- ヒドロキシフェノキシ)-1,3,5-トリアジン、2,4,6-トリス-(3,5-ジ- 第三ブチル-4- ヒドロキシフェノキシ)-1,2,3-トリアジン、1,3,5-トリス-(3,5-ジ- 第三ブチル-4- ヒドロキシベンジル)-イソシアヌレート、1,3,5-トリス-(4-第三ブチル-3- ヒドロキシ-2,6- ジメチルベンジル)-イソシアヌレート、2,4,6-トリス-(3,5-ジ- 第三ブチル-4- ヒドロキシフェニルエチル)-1,3,5-トリアジン、1,3,5-トリス-(3,5-ジ- 第三ブチル-4- ヒドロキシフェニルプロピオニル)-ヘキサヒドロ-1,3,5- トリアジン、1,3,5-トリス-(3,5-ジシクロヘキシル-4- ヒドロキシベンジル)-イソシアヌレート。
【手続補正４】
【補正対象書類名】明細書
【補正対象項目名】００５０
【補正方法】変更
【補正の内容】
【００５０】
1.14 β-(5-第三ブチル-4- ヒドロキシ-3- メチルフェニル)-プロピオン酸と一価または多価アルコール、例えばメタノール、エタノール、オクタノール、オクタデカノール、1,6-ヘキサンジオール、1,9-ノナンジオール、エチレングリコール、1,2-プロパンジオール、ネオペンチルグリコール、チオジエチレン- グリコール、ジエチレングリコール、トリエチレングリコール、ペンタエリスリトール、トリス-(ヒドロキシエチル)-イソシアヌレート、N,N'- ビス-(ヒドロキシエチル)-蓚酸アミド、3-チアウンデカノール、3-チアペンタデカノール、トリメチルヘキサンジオール、トリメチロールプロパン、4-ヒドロキシメチル-1- ホスファ-2,6,7- トリオキサビシクロ-[2,2,2]- オクタンとのエステル。
【手続補正５】
【補正対象書類名】明細書
【補正対象項目名】００５１
【補正方法】変更
【補正の内容】
【００５１】
1.15 β-(3,5-ジシクロヘキシル-4- ヒドロキシフェニル)-プロピオン酸と一価または多価アルコール、例えばメタノール、エタノール、オクタノール、オクタデカノール、1,6-ヘキサンジオール、1,9-ノナンジオール、エチレングリコール、1,2-プロパンジオール、ネオペンチルグリコール、チオジエチレン- グリコール、ジエチレングリコール、トリエチレングリコール、ペンタエリスリトール、トリス-(ヒドロキシエチル)-イソシアヌレート、N,N'- ビス-(ヒドロキシエチル)-蓚酸アミド、3-チアウンデカノール、3-チアペンタデカノール、トリメチルヘキサンジオール、トリメチロールプロパン、4-ヒドロキシメチル-1- ホスファ-2,6,7- トリオキサビシクロ-[2,2,2]- オクタンとのエステル。
【手続補正６】
【補正対象書類名】明細書
【補正対象項目名】００５２
【補正方法】変更
【補正の内容】
【００５２】
1.16   3,5-ジ第三ブチル-4- ヒドロキシフェニル酢酸と一価または多価アルコール、例えばメタノール、エタノール、オクタノール、オクタデカノール、1,6-ヘキサンジオール、1,9-ノナンジオール、エチレングリコール、1,2-プロパンジオール、ネオペンチルグリコール、チオジエチレン- グリコール、ジエチレングリコール、トリエチレングリコール、ペンタエリスリトール、トリス-(ヒドロキシエチル)-イソシアヌレート、N,N'- ビス-(ヒドロキシエチル)-蓚酸アミド、3-チアウンデカノール、3-チアペンタデカノール、トリメチルヘキサンジオール、トリメチロールプロパン、4-ヒドロキシメチル-1- ホスファ-2,6,7- トリオキサビシクロ-[2,2,2]- オクタンとのエステル。
【手続補正７】
【補正対象書類名】明細書
【補正対象項目名】００５４
【補正方法】変更
【補正の内容】
【００５４】
2.   紫外線吸収剤および光安定剤
2.1   2-(2'- ヒドロキシフェニル)-ベンゾトリアゾール類、例えば2-(2'-ヒドロキシ-5  '-メチルフェニル)-ベンゾトリアゾール、2-(3',5'- ジ第三ブチル-2'-ヒドロキシフェニル)-ベンゾトリアゾール、2-(5'-第三ブチル-2'-ヒドロキシフェニル)-ベンゾトリアゾール、2-[2'-ヒドロキシ-5'-(1,1,3,3- テトラメチルブチル) フェニル]-ベンゾトリアゾール、2-(3',5'- ジ第三ブチル-2'-ヒドロキシフェニル)-5-クロロ- ベンゾトリアゾール、2-(3'-第三ブチル-2'-ヒドロキシ-5'-メチルフェニル)-5-クロロ- ベンゾトリアゾール、2-(3'-第二ブチル-5'-第三ブチル-2'-ヒドロキシフェニル)-ベンゾトリアゾール、2-(2'-ヒドロキシ-4'-オクトキシフェニル)-ベンゾトリアゾール; 2-(3',5'- ジ第三アミル-2'-ヒドロキシフェニル) ベンゾトリアゾール、2-(3',5'- ビス( α、α- ジメチルベンジル)-2'- ヒドロキシフェニル) ベンゾトリアゾール; 2-( 3'- 第三ブチル-2'-ヒドロキシ-5'-(2- オクチルオキシカルボニルエチル)-フェニル)-5-クロロベンゾトリアゾール、 2-(3'- 第三ブチル-5'-[(2-エチルヘキシルオキシ) カルボニルエチル]-2'- ヒドロキシフェニル)-5-クロロベンゾトリアゾール、2-(3'-第三ブチル-2'-ヒドロキシ-5'-(2- メトキシカルボニルエチル) フェニル)-5-クロロベンゾトリアゾール、 2-(3'- 第三ブチル-2'-ヒドロキシ-5'-(2- メトキシカルボニルエチル) フェニル) ベンゾトリアゾール、2-(3'-第三ブチル-2'-ヒドロキシ-5'-(2- オクチルオキシカルボニルエチル) ベンゾトリアゾール、2-(3'-第三ブチル-5'-[2-(2-エチルヘキシルオキシ) カルボニルエチル]-2'- ヒドロキシフェニル) ベンゾトリアゾール、2-(3'-ドデシル-2'-ヒドロキシ-5'-メチルフェニル) ベンゾトリアゾールおよび2-(3'-第三ブチル-2'-ヒドロキシ-5'-(2- イソオクチルオキシカルボニルエチル) フェニルベンゾトリアゾール、2,2'- メチレン- ビス-[4-(1,1,3,3- テトラメチルブチル)-6-ベンゾトリアゾール-2- イル- フェノール] よりなる混合物; 2-[3'-第三ブチル-5'-(2- メトキシカルボニルエチル)-2'- ヒドロキシフェニル]-ベンゾトリアゾールとポリエチレングリコール 300とのエステル交換反応生成物; [R-CH2CH2-COO(CH2)3]2 ( 式中、R は3'- 第三ブチル-4'-ヒドロキシ-5'-2H- ベンゾトリアゾール-2- イル- フェニルである。) 。
【手続補正８】
【補正対象書類名】明細書
【補正対象項目名】００５６
【補正方法】変更
【補正の内容】
【００５６】
2.3  場合によって置換された安息香酸のエステル、例えば4-第三ブチル- フェニル- サルチラート、フェニル- サルチラート、オクチルフェニル- サルチラート、ジベンゾイルレゾルシノール、ビス-(4-第三ブチルベンゾイル)-レゾルシノール、ベンゾイルレゾルシノール、2,4-ジ- 第三ブチルフェニル 3,5- 第三ブチル-4- ヒドロキシ- ベンゾエート、ヘキサデシル 3,5- ジ- 第三ブチル-4- ヒドロキシベンゾエート、オクタデシル 3,5- ジ- 第三ブチル-4- ヒドロキシベンゾエート、2-メチル-4,6- ジ第三ブチル- フェニル 3,5- ジ第三ブチル-4- ヒドロキシベンゾエート。
【手続補正９】
【補正対象書類名】明細書
【補正対象項目名】００５９
【補正方法】変更
【補正の内容】
【００５９】
2.6  立体障害アミン類、例えばビス-(2,2,6,6-テトラメチルピペリジイル) セバケート、ビス-(2,2,6,6-テトラメチルピペリジイル)-スクシナート、ビス-(1,2,2,6,6-ペンタメチルピペリジニル) セバケート、n-ブチル-3,5- ジ第三ブチル-4- ヒドロキシベンジルマロン酸- ビス-(1,2,2,6,6-ペンタメチルピペリジル)-エステル、1-ヒドロキシエチル-2,2,6,6- テトラメチル-4- ヒドロキシピペリジンとコハク酸との縮合生成物、N,N'- ビス-(2,2,6,6-テトラメチル-4- ピペリジル)-ヘキサメチレンジアミンと4-第三オクチルアミノ-2,6- ジクロロ-1,3,5-s- トリアジンとの縮合生成物、トリス-(2,2,6,6-テトラメチル-4- ピペリジル)-ニトリロトリアセテート、テトラキス-(2,2,6,6-テトラメチル-4- ピペリジル)-1,2,3,4-ブタンテトラオエート、1,1'-(1,2-エタンジイル)-ビス-(3,3,5,5-テトラメチルピペラジノン) 、4-ベンゾイル-2,2,6,6- テトラメチルピペリジン、4-ステアリロキシ-2,2,6,6- テトラメチルピペリジン、4-ステアリロイルオキシ-2,2,6,6- テトラメチルピペリジン、ビス-(1,2,2,6,6-ペンタメチルピペリジル)-2-n-ブチル-2-(2-ヒドロキシ-3,5- ジ第三ブチルベンジル)-マロナート、3-n-オクチル-7,7,9,9- テトラメチル-1,3,8- トリアザスピロ[4,5] デカン-2,4- ジオン、ビス-(1-オクチルオキシ-2,2,6,6- テトラメチルピペリジル)-セバケート、ビス-(1-オクチルオキシ-2,2,6,6- テトラメチルピペリジル)-スクシナート、N,N'- ビス-(2,2,6,6-テトラメチル-4- ピペリジル)-ヘキサメチレンジアミンと4-モルホリノ-2,6- ジクロロ-1,3,5- トリアジンとの縮合生成物、2-クロロ-4,6- ジ-(4-n-ブチルアミノ-1,2,2,6,6- ペンタメチルピペリジル)-1,3,5-トリアジンと1,2-ビス-(3-アミノプロピルアミノ) エタンとの縮合生成物、2-クロロ-4,6- ジ-(4-n-ブチルアミノ-2,2,6,6- テトラメチルピペリジル)-1,3,5-トリアジンと1,2-ビス-(3-アミノプロピルアミノ) エタンとの縮合生成物、8-アセチル-3- ドデシル-7,7,9,9- テトラメチル-1,3,8- トリアザスピロ[4,5] デカン-2,4- ジオン、3-ドデシル-1-(2,2,6,6-テトラメチル-4- ピペリジル) ピロリジン-2,5- ジオン、3-ドデシル-1-(1,2,2,6,6-ペンタメチル-4- ピペリジル) ピロリジン-2,5- ジオン。
【手続補正１０】
【補正対象書類名】明細書
【補正対象項目名】００６４
【補正方法】変更
【補正の内容】
【００６４】
5. 過酸化物分解剤、例えばβ- チオ- ジプロピオン酸のエステル類、例えばラウリル- 、ステアリル- 、ミリスチル- またはトリデシル- エステル類、メルカプトベンズイミダゾール、2-メルカプトベンズイミダゾールの亜鉛塩、ジブチル亜鉛- ジチオカルバマート、ジオクタデシルジスルフィド、ペンタエリスリット- テトラキス-(β- ドデシルメルカプト)-プロピオナート。
【手続補正１１】
【補正対象書類名】明細書
【補正対象項目名】００６６
【補正方法】変更
【補正の内容】
【００６６】
７. 基礎的補助安定剤、例えばメラミン、ポリビニルピロリドン、ジシアンジアミン、トリアリル- シアヌレート、尿素誘導体、ヒドラジン誘導体、アミン類、ポリアミド類、ポリウレタン類、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウム、パルミチン酸カリウム、アンチモン- カテコーラートまたは錫- カテコラート。
【手続補正１２】
【補正対象書類名】明細書
【補正対象項目名】００７８
【補正方法】変更
【補正の内容】
【００７８】
有利な基は、Ｒが直鎖状または枝分かれしたＣ4-18−アルキル、直鎖状または枝分かれしたＣ4-18−アルキレン、Ｃ5-12−シクロアルキル、Ｃ5-12−シクロアルキレン、Ｃ6-24−アリールまたは−ヘテロアリール、Ｃ6-24−アリーレンまたは−ヘテロアリーレンであり、これらは置換されていてもよく；Ｒ1 が構造式(II)または(III) で表される基であり、その際にＲ2 は互いに無関係に直鎖状または枝分かれしたＣ1-8 −アルキル、Ｃ1-8 −アルコキシ、シクロアルキルであり；Ａが直接結合、Ｏ、直鎖状または枝分かれしたＣ1-8 −アルキレン、直鎖状または枝分かれしたＣ1-8 −アルキリデンであり、そしてｎが０〜３でありそしてｍが１〜３であるものである。
【手続補正１３】
【補正対象書類名】明細書
【補正対象項目名】００８８
【補正方法】変更
【補正の内容】
【００８８】
有利なこの反応生成物はモンタンワックス酸のモノ−およびジ（エチレングリコール）エステル、モンタンワックス酸、およびエチレングリコールよりなる混合物である。